(57)【要約】      （修正有）【課題】風呂敷等の布の表面に断熱シートを設けて断熱性を持たせた変形バッグを提供する。【解決手段】この布バッグ１００は、風呂敷等の布１の中央に面テープ３で着脱自在に断熱シート２を設けた構成である。ユーザは、布１を広げ、断熱シート２を面テープ３で装着する。弁当箱を包む場合、机の上に広げた布バッグ１００の断熱シート２の上に弁当箱を置き、布１の対向する角を弁当箱の上に折り重ねる。同じく、もう一つの対向する角を弁当箱の上に折り重ね、角どうしを結わえて弁当箱を包み込む。【選択図】図１
0003223654.tif 000002
【実用新案登録請求の範囲】
【請求項１】
任意の位置にメッシュ材により袋部を形成した布その他の面材と、
当該面材の前記袋部よりも小さい面積で略全てが袋部の中に納まり且つ非重畳部分で結び部位を形成する、前記面材より断熱性が高い断熱シートと、
を有する変形バッグ。
【請求項２】
任意の位置に面テープその他の着脱手段を設けた布その他の面材と、
当該面材の着脱手段に対応する面テープその他の着脱手段を有すると共に前記面材よりも小さい面積で略全てが面材の中に納まり且つ非重畳部分で結び部位を形成する、前記面材より断熱性が高い断熱シートと、
を有する変形バッグ。
【請求項３】
更に、前記断熱シートとは異なる形状であって、前記面材の着脱手段に対応する面テープその他の着脱手段を有すると共に前記面材よりも小さい面積で略全てが布材の中に納まり且つ非重畳部分で結び部位を形成する、前記面材より断熱性が高い第二断熱シートを有する請求項２に記載の変形バッグ。
【請求項４】
全体の寸法より小さい寸法の面材を少なくとも一辺を開放した状態で重ねて取り付けた袋部を有する布その他の面材と、
前記袋部に挿入可能な前記面材より断熱性が高い断熱シートと、
を有する変形バッグ。
【請求項５】
前記断熱シート又は第二断熱シートは、前記面材よりも硬い材料からなり、その一部に折り曲げ部を有することを特徴とする請求項１〜４のいずれか一つに記載の変形バッグ。
【請求項６】
前記断熱シートは、袋状に形成されていることを特徴とする請求項１〜５のいずれか一つに記載の変形バッグ。
【考案の詳細な説明】
【技術分野】
【０００１】
本考案は、風呂敷等の布の表面に断熱シートを設けて断熱性を持たせた変形バッグに関するものである。
【背景技術】
【０００２】
従来から特許文献１に記載されているような風呂敷が知られている。この風呂敷は、方形の布材からなり当該布材の中央に保温保冷用の断熱シートを設けた構成である。この断熱シートは方形であり布材に対して４５度の角度をつけて設けられている。このため、布材の角は、三角形の布材のみの部分が形成される。
【０００３】
この風呂敷で例えば弁当箱を包む場合、弁当箱を中央の断熱シートの中央に置き、弁当箱を当該断熱シートで包む。そして、布材の角どうしを結んで巾着のようにする。これにより、ユーザは、風呂敷を手に提げて持ち運ぶことができると共に弁当箱の保温保冷が可能となる。
【先行技術文献】
【特許文献】
【０００４】
【特許文献１】実用新案登録第３０９２３９３号公報
【考案の概要】
【考案が解決しようとする課題】
【０００５】
しかしながら、上記従来の技術では、前記断熱シートが不要な際に物品等を包むのに嵩張ったり取り扱い難いという問題点があった。本考案は係る問題点を解決するためになされたものである。
【０００６】
更に、前記断熱シートとは異なる形状であって、前記布材の着脱手段に対応する面テープその他の着脱手段を有すると共に前記布材よりも小さい面積で略全てが布材の中に納まり且つ非重畳部分で結び部位を形成する、前記布材より断熱性が高い第二断熱シートを有するようにしても良い。
【０００７】
更に、前記断熱シート又は第二断熱シートは、布材よりも硬い材料からなり、その一部に折り曲げ部を設けることもできる。また、前記断熱シートは、袋状に形成しても良い。
【課題を解決するための手段】
【０００８】
本考案に係る布バッグは、任意の位置にメッシュ材により袋部を形成した布その他の面材と、当該面材の前記袋部よりも小さい面積で略全てが袋部の中に納まり且つ非重畳部分で結び部位を形成する、前記面材より断熱性が高い断熱シートとを有するものである。
【０００９】
本考案に係る布バッグは、任意の位置に面テープその他の着脱手段を設けた面材と、当該面材の着脱手段に対応する面テープその他の着脱手段を有すると共に前記面材よりも小さい面積で略全てが面材の中に納まり且つ非重畳部分で結び部位を形成する、前記面材より断熱性が高い断熱シートとを有するものである。
【００１０】
また、本考案に係る布バッグは、全体の寸法より小さい寸法の面材を少なくとも一辺を開放した状態で重ねて取り付けた袋部を有する面材と、前記袋部に挿入可能な前記面材より断熱性が高い断熱シートとを有するものである。
【図面の簡単な説明】
【００１１】
【図１】本考案の実施の形態１に係る布バッグを示す説明図である。
【図２】図１に示した布バッグの使用法を示す説明図である。
【図３】図１に示した布バッグの使用法を示す説明図である。
【図４】図１に示した布バッグの使用法を示す説明図である。
【図５】本考案の実施の形態２に係る布バッグを示す説明図である。
【図６】図５に示した布バッグの使用法を示す説明図である。
【図７】本考案の実施の形態３に係る布バッグを示す説明図である。
【図８】図７に示した布バッグの使用方法を示す説明図である。
【図９】本考案の実施の形態４に係る布バッグを示す説明図である。
【図１０】本考案の実施の形態５に係る布バッグを示す説明図である。
【図１１】図１０に示す布バッグに用いる断熱シートの展開図である。
【図１２】図１１に示した布バッグの使用法を示す説明図である。
【図１３】図１１に示した布バッグの使用法を示す説明図である。
【図１４】図１１に示した布バッグの変形例を示す説明図である。
【図１５】図１１に示した布バッグの変形例を示す説明図である。
【考案を実施するための形態】
【００１２】
（実施の形態１）
図１は、本考案の実施の形態１に係る布バッグを示す説明図であり、(ａ)は全体の展開図、（ｂ）及び（ｃ）は断熱シートの展開図を示す。同図（ａ）に示すように、この布バッグ１００は、風呂敷等の布１の中央に断熱シート２を設けた構成である。布１は、一般的な矩形の絹、綿からなり、例えば短辺約３４ｃｍ、長辺約３７ｃｍの寸法である。なお、布１に代えて合成皮革、本革、ゴムなどの面材を用いることもできる。断熱シート２は、発泡ポリエチレンのシートの表層にＰＥＴクロスとアルミニウムを蒸着した構造である。
【００１３】
この布バッグ１００に用いる断熱シート２は、例えば同図（ｂ）に示すような円形と同図（ｃ）に示すような矩形の２種類が一組みとなる。ユーザが任意で円形と矩形のいずれかを選択して使用できる。断熱シート２の裏面には、４個の面テープ３が任意の位置に均等配置されている。同図（ｂ）の例では、円形の断熱シート２の円周縁近傍に９０度おきに４個設けられる。同図（ｃ）の例では、矩形の断熱シート２の各辺の中央近傍に４個設けられる。円形の断熱シート２及び矩形の断熱シート２の面テープ３ｂの位置は一致する。
【００１４】
一方、布１の表面には、前記断熱シート２に設けた面テープ３ａに対応する位置に面テープ３ｂが設けられる。同図の例では、布１の表面に４個の面テープ３ａが均等配置される。このため、布１に対して前記断熱シート２を面テープ３ｂで装着した際、断熱シート２が正しい位置に装着できる。また、面テープ３により装着するので着脱自在である。そして、円形の断熱シート２を装着した場合でも、矩形の断熱シート２を装着した場合でも、それぞれが正しい位置に装着される。
【００１５】
前記断熱シート２は、前記布１よりも小さい面積で全てが布１の中に納まる。布１のうち断熱シート２が設けられてない非重畳部分１ａにある程度の余裕がなければ、布１により物品を包んで結わえることができない。例えば、図１の例では、円形の断熱シート２の直径は布１の対角線の長さの約半分から３分の２程度になる。そうすると非重畳部分１ａとして３分の１以上の余裕があるので布１が自由に変形し、物品Ｇを包んだり角を結えたりの操作がし易いものとなる。
【００１６】
同図の例では面テープ３の数を４個にしたが、これに限定されない。また、面テープ３の位置は同図の例に限定されず、一つの面テープ３が不均等としても良い（図示省略）。その場合、断熱シート２の装着位置がより規制されるので、より正しい位置へ装着できるようになる。
【００１７】
なお、前記着脱手段である面テープ３に代えてホックを用いることもできる（図示省略）。そのほか、板状に形成されたゲル状体を着脱手段として用いることもできる（図示省略）。また、前記布１には、撥水性の布１を用いることができる。表面がゴムでコーティングされた布１であれば更に耐水性が向上する。
【００１８】
図２は、この布バッグの使用法を示す説明図である。ユーザは、布１を広げ、使用する断熱シート２を選択し、前記面テープ３で装着する。同図の例では、円形の断熱シート２を布１の上に装着している。
【００１９】
例えば弁当箱Ｇを包む場合、机の上に広げた布バッグ１００の断熱シート２の上に弁当箱Ｇを置く（同図(ａ)参照）。次に、布１の対向する角を弁当箱Ｇの上に折り重ねる（同図（ｂ）参照）。同じく、もう一つの対向する角を弁当箱Ｇの上に折り重ね（同図（ｃ）参照）、当該角どうしを結わえて弁当箱Ｇを包み込む（同図（ｄ）参照）。これにより弁当箱Ｇは断熱シート２で包まれることになるので、弁当箱Ｇの保温保冷が可能になる。また、布バッグ１００により包まれるので持ち運びがし易い。
【００２０】
この布バッグ１００では、断熱シート２と断熱シート２が重なってない部分（非重畳部分１ａ）とから構成されるので、非重畳部分１ａで布１が自由に変形することになって畳んだり結び易いものとなる。一方、断熱シート２の部分は厚くなるため、断熱効果の他、耐水性、耐衝撃性が向上する。
【００２１】
また、ユーザは、布１のみで使用する場合、前記断熱シート２を取り外す。これにより、布１を単独で使用でき、断熱シート２が装着されていないことから嵩張らない。また、物品Ｇを包む際にも取り扱いやすくなる。
【００２２】
次に、図３に示すように、布１を断熱シート２ごと折り畳むことができる。折り方は様々でありユーザの任意でよいが、断熱シート２と非重畳部分１ａとの境で折り畳みやすいので、まずこの部分で折り畳み、更に４つ折り等にすると持ち運びやすい大きさとなる。更に、図４に示すように、断熱シート２と非重畳部分１ａとの境で折り畳み、断熱シート２の表裏に布１が重なった状態にすれば、座布団としてアウトドアで使用できる。
【００２３】
（実施の形態２）
図５は、本考案の実施の形態２に係る布バッグを示す説明図であり、(ａ)は全体の展開図、（ｂ）及び（ｃ）は断熱シートの展開図を示す。この布バッグ２００は、実施の形態１の布バッグ１００と略同様の構成であるが、面テープ２０３の数と位置が異なる。その他の構成要件は同じであるから、同一構成要素には同一符号を付してその説明を省略する。
【００２４】
この布バッグ２００では、前記断熱シート２の一部、具体的には中心から少し偏心した位置に一つの面テープ２０３ａを有する。また、布１の前記面テープ２０３ａに対応する位置に面テープ２０３ｂが設けられる。中心から少し偏心した位置に面テープ２０３を設けることで、断熱シート２の方向が特定される状態で布１に装着することになる。このため、断熱シート２を正確な位置に装着できる。
【００２５】
次に、断熱シート２の中心から少し偏心した位置に一つの面テープ２０３を設けることで、当該中心付近は布１に固定されるが、その他の周囲の部分（断熱シート２の周縁近傍）は布１に対して変形する。このため、図６（ａ）から（ｃ）に示すように、弁当箱Ｇ等を断熱シート２の上に置いた状態で当該断熱シート２の端を折り被せて弁当箱Ｇを覆い、図６（ｄ）に示すように、最後に布１の非重畳部分１ａを折り上げて角どうしを結ぶ（図中矢印で示す。結んだ状態は、図２（ｄ）を参照）。このようにすれば、弁当箱等の物品Ｇの断熱を確実に行える。
【００２６】
（実施の形態３）
図７は、本考案の実施の形態３に係る布バッグを示す説明図であり、(ａ)は全体の展開図、（ｂ）は断熱シート２の展開図を示す。この布バッグ３００は、実施の形態１の布バッグ１００と略同様の構成であるが、断熱シート３２０が面材である布１よりも硬い材料からなり、その一部に折曲部３０３を有する点が異なる。その他の構成要件は同じであるから、同一構成要素には同一符号を付してその説明を省略する。
【００２７】
この断熱シート３２０は、四角形状のシート体３０１の各辺に方形のフラップ部３０２が設けられた構造であり、シート体３０１とフラップ部３０２との間は折り曲げ自在となる。シート体３０１とフラップ部３０２とは連結状態でも良いし、布１を介して近接して実質的に連結状態としても良い。シート体３０１とフラップ部３０２との間が折曲部３０３となる。図の例では、シート体３０１とフラップ部３０２との間が連続しており、折曲部３０３が薄厚で折り曲げやすい構造となる。また、本構造の場合、断熱シート３２０に比較的硬い素材を用いるとボックス形状を形成しやすい。断熱シート３２０には、例えばプラスチック材の表面にアルミニウムを蒸着したものを用いる。
【００２８】
図８は、この布バッグの使用方法を示す説明図である。断熱シート３２０の上に任意の物品Ｇを置く。同図（ａ）に示すように、この状態で布１の角を折り上げると（布１の状態を点線で示す）、フラップ部３０２が折曲部３０３で折り曲がり全体が略ボックス形状となる。続いて、布１の角どうしを結わえることで布バッグ３００となる（同図（ｂ）参照）。
【００２９】
この布バッグ３００によれば、物品Ｇをボックス形状となった断熱シート３２０の中に収納できる。また、断熱シート３２０が比較的硬い素材からなるため、物品Ｇを衝撃から保護できる。更に、バッグにした際に全体がボックス状になるのでよりバッグの雰囲気を出すことができる。なお、断熱シート３２０の材料はプラスチック板に限定されず、形がある程度保持できる素材であれば、どのようなものでもよい。
【００３０】
（実施の形態４）
図９は、本考案の実施の形態４に係る布バッグを示す説明図であり、(ａ)は全体の展開図、（ｂ）は断熱シートの展開図を示す。この布バッグ４００は、実施の形態１の布バッグ１００と略同様の構成であるが、断熱シート４０２が袋状になっている点が異なる。その他の構成要件は同じであるから、同一構成要素には同一符号を付してその説明を省略する。
【００３１】
断熱シート４０２は、全体が矩形であってシートが二重に重なりその三辺が接合され且つ一辺が開口している（開口部４０３）。断熱シート４０２の裏面には上記同様に所定位置に面テープ３が設けられる。また、断熱シート４０２はアルミニウムの蒸着面が内側になる。
【００３２】
この断熱シート４０２の中に物品Ｇを入れ、そのまま布１を折り畳んで包む。これにより、物品Ｇを断熱シート４０２で完全に包めるので、高い断熱効果が得られる。また、袋の中に物品Ｇを入れずに使用することもできる。具体的には、実施の形態１の布バッグ１００と同じ使用形態となる。この場合、断熱シート４０２の表面に更にアルミニウムの蒸着面を形成するのが好ましい。
【００３３】
（実施の形態５）
図１０は、本考案の実施の形態５に係る布バッグを示す説明図であり、（ａ）は全体の展開図、（ｂ）は断熱シートの展開図を示す。この布バッグ５００は、風呂敷等の面材である布１の中央に袋部５０１を設け、この袋部５０１に布１より断熱性が高い断熱シート２を挿入配置した構成である。布１及び断熱シート２は、実施の形態１と同様である。なお、布１及び断熱シート２の裏面には面テープを設けても良い（同図の例では省略）。
【００３４】
前記袋部５０１は、布１全体の寸法より小さい寸法であり且つメッシュ状の面材５０２を布１に重ねて取り付けることで構成される。面材５０２は布１と同程度の薄手のメッシュ素材である。目合いは、断熱シート２が保持でき且つ包む対象物との間に僅かな隙間が形成される寸法であればよい。断熱シート２は、袋部５０１よりも小さい面積で略全てが袋部の中に納まり且つ非重畳部分で結び部位を形成し得る。
【００３５】
前記袋部５０１は、前記断熱シート２の寸法よりも若干大きい寸法であり且つその３辺５０１ａで布１に糊又は縫い付けにより取り付けられる。布１に三辺周縁で取り付けられることで、一辺５０１ｂが開放されて開口となり全体が袋状となる。この袋部５０１に、図１１に示すように、前記断熱シート２を開口から差し入れて布１に対し断熱シート２を固定する。前記面材５０２は、布１と同じく自在に変形するため断熱シート２ごと折り畳むことができる。
【００３６】
また、袋部５０１及び断熱シート２は、四角形状であることから、袋部５０１に断熱シート２を入れた場合、当該断熱シート２が特定の角度および位置に必ず配置される。  また、メッシュ状の面材５０２を使用することから、断熱シート２の表面に直接弁当箱が接触しない。このため、断熱性が更に向上する。また、異なる厚さの断熱シート２を準備しておき、ユーザがそのときに応じて適切な断熱シート２を挿入して使用できるようにしても良い。また、袋部５０１の面材５０２は、ポリエステル等の公知の素材を用いる。
【００３７】
図１２は、この布バッグの使用法を示す説明図である。ユーザは、布１を広げ、使用する断熱シート２を選択し、袋部５０１に入れる。同図の例では、方形の断熱シート２を袋部５０１に入れて布１に装着している。弁当箱Ｇを包む場合、机の上に広げた布バッグ１００の断熱シート２（面材５０２）の上に弁当箱Ｇを置く（同図(ａ)参照）。次に、布１の対向する角を弁当箱Ｇの上に折り重ねる（同図（ｂ）参照）。同じく、もう一つの対向する角を弁当箱Ｇの上に折り重ね（同図（ｃ）参照）、当該角どうしを結わえて弁当箱Ｇを包み込む（同図（ｄ）参照）。これにより弁当箱Ｇは断熱シート２で包まれることになるので、弁当箱Ｇの保温保冷が可能になる。また、布バッグ５００により包まれるので持ち運びがし易い。
【００３８】
次に、図１３に示すように、布１を断熱シート２ごと折り畳むことができる。折り方は様々でありユーザの任意でよいが、断熱シート２と非重畳部分１ａとの境で折り畳みやすいので、同図（ａ)〜（ｄ）に示すように、まずこの部分で角をそれぞれ折り畳み、小さな四角形にすると持ち運びやすい大きさとなる。また、当該折り方であれば、断熱シート２の表裏に布１が重なった状態になるので座布団としてアウトドアで使用できる。
【００３９】
また、上記実施の形態において、上記袋部５５１及び断熱シート２を円形にしても良い。図１４及び図１５に示すように、袋部５５１は、円形をしたメッシュ状の面材５５２の周縁の一部５５３が糊又は縫い付けにより布１に固定されている。固定されていない部分から断熱シートを差し込む格好になる。
【００４０】
袋部５５１及び断熱シート２を円形にした場合でも上記同様に弁当箱等を包むことができ、且つ、折り畳むことができる。
【００４１】
更に、本実施の形態５において実施の形態４に示したように断熱シート２を袋状の構造にしても良い。具体的には、断熱シートを二重に重ね一部を接合し且つ一部が開口するようにする。断熱シートはアルミニウムの蒸着面が内側になる。この断熱シートの中に物品を入れ、そのまま布１を折り畳んで包む。これにより、物品を断熱シートで完全に包めるので、高い断熱効果が得られる。また、袋の中に物品を入れずに使用することもできる。
【符号の説明】
【００４２】
１００  布バッグ
１  布
２  断熱シート
３  面テープ
【図１】
0003223654.tif 000003
【図２】
0003223654.tif 000004
【図３】
0003223654.tif 000005
【図４】
0003223654.tif 000006
【図５】
0003223654.tif 000007
【図６】
0003223654.tif 000008
【図７】
0003223654.tif 000009
【図８】
0003223654.tif 000010
【図９】
0003223654.tif 000011
【図１０】
0003223654.tif 000012
【図１１】
0003223654.tif 000013
【図１２】
0003223654.tif 000014
【図１３】
0003223654.tif 000015
【図１４】
0003223654.tif 000016
【図１５】
0003223654.tif 000017